(57)【要約】【課題】ブラジャーに、バスト（乳房）部の整形という本来の機能に加え、着用者の上半身部の姿勢を補整するという新たな機能をもたせる。【解決手段】左右のカップ部１と左右の前中心布２と左右のカップ脇布３とバック布４と左右の肩紐６とからなり、左右の前中心布２の前中央側端縁にフック５を固設したフロントフック・タイプのブラジャーにおいて、左右の肩紐６を長手方向に強い伸縮性を有するテープにより構成し、この左右の肩紐の前端部を左右のカップ脇布３の上部に結合し、左右の肩紐６の後端部分をバック布４の中央の上縁近傍部でＸ字形状にクロスさせ、左側と右側の各肩紐のクロス部より下方の部分をバック布４の右側下縁と左側下縁までそれぞれ延長させてバック布４に縫着した。これにより、背中部でクロスした左右の肩紐の強い張力で、たすき掛けと同様の胸を張り背筋を伸ばすという姿勢補整機能を果たしようにした。【選択図】  図１
2004360126.tif 000002
【特許請求の範囲】
【請求項１】
ブラジャーの前側中央部でフックするフロントフック・タイプのブラジャーにおいて、長手方向に強い伸縮性を有するテープよりなり前端部を左右のカップ部の上方部に結合した左右の肩紐の後端部分を、バック布のほぼ中央部の上縁近傍部でＸ字形状にクロスさせ、左側と右側の各肩紐の上記クロス部より下方の部分を上記バック布の右側下縁と左側下縁までそれぞれ延長させて該バック布に縫着したことを特徴とするブラジャー。
【請求項２】
請求項１に記載のブラジャーにおいて、バック布は、主として横方向に伸縮性を有する布地で構成され、左右のカップ部の側方側の周縁に縫着されている左右のカップ脇布の側方端部に上記バック布の両側端部が縫着されていることを特徴とするブラジャー。
【請求項３】
請求項１又は２に記載のブラジャーにおいて、バック布は、左右の側方部分と中央部分との３つの部片に分割構成され、左右の側方部分の中央側端部は上端縁近くに相手側に最も近接するよう突出しその下方が相手側から徐々に離れるよう下側傾斜縁に形成され、中央部分は上記左右の側方部分の相対向する左右の下側傾斜縁にて形成される三角形状にほぼ適合する三角形の部片により構成され、左右の肩紐の後端部分が上記左右の側方部分の中央側端部の下側傾斜縁と三角形をなす中央部分の左右の傾斜縁とに跨がって縫着されることにより、上記左右の側方部分と中央部分との３つの部片が一体的に結合された構造となっていることを特徴とするブラジャー。
【発明の詳細な説明】
【発明の属する技術分野】
本発明は、ブラジャー本来のバスト部の整形機能に加え上半身の姿勢補整機能をもたせたブラジャーに関するものである。
【従来の技術】
ブラジャーは、一般に、左右のカップ部とその左右のカップ部の前側下部をつなぐ前中心布と左右のカップ部の後側をつなぐバック布と左右の肩紐（ストラップ）とからなり、バック布の中央部（背中の中央部）をフックで止めるバックフック・タイプと前中心布の中央部（胸の前側中央部）をフックで止めるフロントフック・タイプとに大別される。
上記ブラジャーは、もともと乳房の形を整えるのが目的であるから、着用状態でブラジャーのカップ部が乳房部に好適にフィットするよう、少なくともバック布を主として横方向に伸縮性を有する生地で構成しているのが普通である。
【発明が解決しようとする課題】
上記のような従来の一般的なブラジャーでは、左右の肩紐は通常伸縮性を有するテープ（例えばゴムテープ）で構成され、該肩紐の前側は左右のカップ部の上縁中央部付近に縫合され、左側の肩紐の後側はバック布の左側上縁に，右側の肩紐はバック布の右側上縁にそれぞれ縫合され、着用状態で左右の肩紐は適当な弾力をもって左右の肩部にかかり、ブラジャーのずり下がりを防止し安定した着用状態を保持する、という機能を果たすようになっている。
本発明は、この左右の肩紐の構成を改良することにより、バスト（乳房）部の整形という本来の機能に加え上半身部の姿勢補整という新たな機能をもたせたブラジャーを提供することを目的とするものである。
【課題を解決するための手段】
本発明は、ブラジャーの前側中央部でフックするフロントフック・タイプのブラジャーにおいて、長手方向に強い伸縮性を有するテープよりなり前端部を左右のカップ部の上方部に結合した左右の肩紐の後端部分を、例えば横方向に伸縮性を有する布地よりなるバック布のほぼ中央部の上縁近傍部でＸ字形状にクロスさせ、左側と右側の各肩紐の上記クロス部より下方の部分を上記バック布の右側下縁と左側下縁までそれぞれ延長させて該バック布に縫着したことを特徴とするものである。
上記の構成を採ったことにより、バスト部（乳房部）の整形というブラジャー本来の機能に加え、背中部でＸ字形状にクロスした左右の肩紐の強い張力によってたすき掛けと同様の胸を張り背筋を伸ばす、という上半身部の姿勢補整機能を果たし、着用者の全体的なプロポーションの向上をはかることができる。
また、本発明は、上記バック布を、左右の側方部分と中央部分との３つの部片に分割構成し、左右の側方部分の中央側端部は上端縁近くに相手側に最も近接するよう突出しその下方が相手側から徐々に離れるよう下側傾斜縁に形成され、中央部分は上記左右の側方部分の相対向する左右の下側傾斜縁にて形成される三角形状にほぼ適合する三角形の部片により構成され、左右の肩紐の後端部分が上記左右の側方部分の中央側端部の下側傾斜縁と三角形をなす中央部分の左右の傾斜縁とに跨がって縫着されることにより、上記左右の側方部分と中央部分との３つの部片が一体的に結合された構造としたものである。
このようにバック布を側方部分と中央部分との３つの部片に分割構成したことにより、バック布の布地の型取りが有利となって、布地の歩留りの著しい向上をはかることができ、コスト面でも非常に有効である、という作用，効果をもたらし得る。
【発明の実施の形態】
以下、本発明の実施の形態に付き、図面を参照して説明する。
図１は、本発明の一実施例を示すブラジャーの展開図で、ブラジャーを展開した状態で後側（背中側）から見た図である。図２は図１のＡ部を裏側より見た拡大図である。
図１，２において、１，１は左右の乳房を収容する部分即ちカップ部であり、該カップ部１，１の中央部より前側の下部には前中心布２，２が縫着される。左右のカップ部１，１の中央部より側方側の約半周部には該約半周部を囲むようにカップ脇布３，３が縫着され、該左右のカップ脇布３，３の側方端部にはバック布４の両側端部が縫着される。
図示実施例では、バック布４は左右の側方部分４１，４１と中央部分４２との３つの部片に分割構成され、左右の側方部分４１，４１の中央側端部は上端から１／４くらい下った位置が相手側に最も近接するよう突出したほぼ山型形状をなし、中央部分４２は左右の側方部分４１，４１の山型形状をなす中央側端部の下側ほぼ３／４の互いに相対向する下側傾斜縁４１ｂ，４１ｂにて形成される三角形状にほぼ適合する三角形の部片により構成され、後述する左右の肩紐６，６の後端部分が上記側方部分４１，４１の中央側端部の上下の傾斜縁４１ａ，４１ｂと三角形をなす中央部分４２の左右の傾斜縁４２ａ，４２ａとに跨がって縫着されることにより、上記側方部分４１，４１と中央部分４２とが一体的に結合された構造とした例を示している。このようにバック布４を側方部分４１，４１と中央部分４２との３つの部片に分割構成したことにより、バック布４の布地の型取りが有利となって、布地の歩留りの著しい向上をはかることができ、コスト面でも非常に有効である、という効果をもたらし得る。しかし、本発明では、上記に限らず、バック布４を分割構成せず一体構成したものであっても良い。
上記左右の前中心布２，２の前中央側端縁にはフック５が固設され、前側中央部でフック止めできるフロントフック・タイプに構成されている。また、バック布４または該バック布４と左右のカップ脇布３，３は、主として横方向に伸縮性を有する布地で構成され、ブラジャー着用状態でバック布４または該バック布４とカップ脇布３，３が着用者の背中部または該背中部とバスト両脇部に適度の締付け力にて密着してズレを防止すると共に、カップ部１，１が乳房部に好適にフィットしてバスト部（乳房部）の整形というブラジャー本来の機能を果たすようになっている。
６，６は左右の肩紐（ストラップ）であり、該肩紐６，６は長手方向に強い伸縮性を有するテープで構成され、前端部は上記カップ脇布３，３の上縁部に形成したストラップ取付部３ａ，３ａに縫合若しくは取付具７，７にて結合される。８，８は肩紐６，６の長さ調節具である。
肩紐６，６の後端部分は、左側の肩紐６はバック布４の左側の側方部分４１の中央側端部の上側傾斜縁４１ａに縫着された後、その下方部分が右側の側方部分４１の中央側端部の下側傾斜縁４１ｂとそれに近接対向する中央部分４２の右側傾斜縁４２ａとに跨がって縫着される。右側の肩紐６は右側の側方部分４１の中央側端部の上側傾斜縁４１ａに縫着された後、その下方部分が左側の側方部分４１の中央側端部の下側傾斜縁４１ｂとそれに近接対向する中央部分４２の左側傾斜縁４２ａとに跨がって縫着される。
つまり、図示のように、左右の肩紐６，６の後端部分は、バック布４のほぼ中央部の上縁近傍でクロスし、左側の肩紐はバック布の中央部の上縁近傍より右側の下縁まで延長し、右側の肩紐はバック布の中央部の上縁近傍より左側の下縁まで延長して縫着され、後方から見て肩紐６，６の後方部分はほぼＸ字形状をなす構成となっている。そのほぼＸ字形状をなす部分の縫着によってバック布４の上記側方部分４１，４１と中央部分４２とが一体的に連結される。尚、図２において、９は左右の肩紐６，６と上側傾斜縁４１ｂ，下側傾斜縁４１ｂ及び中央部分両側の傾斜縁４２ａとの縫着部を示している。
上記のように構成したブラジャーは、着用状態にて、上述したようにバック布４または該バック布４とカップ脇布３，３が着用者の背中部または該背中部とバスト両脇部に適度の締付け力にて密着してズレを防止すると共に、カップ部１，１が乳房部に好適にフィットしてバスト部（乳房部）の整形というブラジャー本来の機能を果たすが、それに加え、強い伸縮性を有する左右の肩紐６，６が背中部でＸ字形状にクロスし、更にバック布４の下縁部まで延長して縫着されていることにより、肩紐６，６のクロス部にて矢印Ｆのように強い張力が働き、その張力がたすき掛けと同様の胸を張り背筋を伸ばす、という上半身部の姿勢補整機能を果たすものである。
尚、カップ部１，１及びその周辺の前中心布２，２、カップ脇布３，３等については、図示実施例のものに限らず、従来より公知の任意構成のものを採用できる。
【発明の効果】
以上のように本発明によれば、前側中央部でフックするフロントフック・タイプのブラジャーにおいて、長手方向に強い伸縮性を有するテープよりなる左右の肩紐の後端部分を、バック布のほぼ中央部の上縁近傍部にてＸ字形状にクロスさせ、左側と右側の各肩紐の上記クロス部より下方の部分をバック布の右側下縁と左側下縁までそれぞれ延長させてバック布に縫着した構成を採ったことにより、バスト部（乳房部）の整形というブラジャー本来の機能に加え、背中部でクロスした左右の肩紐の張力によってたすき掛けと同様の胸を張り背筋を伸ばす、という上半身部の姿勢補整機能を果たし、着用者の全体的なプロポーションの向上をはかることができるもので、構造が簡単で機能良好且つコスト低廉なることと相俟って実用上多大の効果をもたらし得るものである。
【図面の簡単な説明】
【図１】本発明の一実施例を示すもので、ブラジャーを展開した状態で後方より見た図である。
【図２】図１のＡ部を裏側より見た拡大図である。
【符号の説明】
１      カップ部
２      前中心布
３      カップ脇布
３ａ    ストラップ取付部
４      バック布
４１    側方部分
４１ａ  上側傾斜縁
４１ｂ  下側傾斜縁
４２    中央部分
４２ａ  左右の傾斜縁
５      フック
６      肩紐（ストラップ）
９      縫着部
【図１】
2004360126.tif 000003
【図２】
2004360126.tif 000004